(57)【要約】【課題】解剖学的構造のレプリカの作製におけるサイクル時間を短縮する。【解決手段】解剖学的構造のレプリカを作製する。例示的な実施形態の少なくとも一部は、  被験者の解剖学的構造の複数の画像を受け取るステップと、解剖学的構造の外面の初期モデルを含むオブジェクトファイルを作成するステップと、初期モデルを、解剖学的構造を取り囲む所定の外部形状に切削するステップとであって、切削することは、所定の外部形状内に解剖学的構造のポジモデルを作製する、切削するステップと、ポジモデルから解剖学的構造のネガモデルを作製するステップと、解剖学的構造のオリフィスに対する関係においてネガモデルの外面にステムツールオブジェクトを配置し、それによって、最終ネガモデルを作製するステップと、三次元プリンタを介して最終ネガモデルを印刷して、ネガ鋳型を作製するステップと、ネガ鋳型を使用して解剖学的構造のレプリカを鋳造するステップとを含む。【選択図】図１
2020142511.tif 000002
【特許請求の範囲】
【請求項１】
解剖学的構造のレプリカを作製する方法であって、
第１のコンピュータシステムによって、被験者の解剖学的構造の複数の画像を受け取るステップであって、前記複数の画像の各画像は、前記解剖学的構造に対する異なる視認角から得られる、ステップと、
前記第１のコンピュータシステムによって、前記解剖学的構造の外面の初期モデルを含むオブジェクトファイルを作成するステップと、
前記第１のコンピュータシステムによって、前記初期モデルを、前記解剖学的構造を取り囲む所定の外部形状に切削するステップであって、切削することは、前記所定の外部形状内に前記解剖学的構造のポジモデルを作製する、切削するステップと、
前記第１のコンピュータシステムによって、前記ポジモデルから前記解剖学的構造のネガモデルを作製するステップと、
前記第１のコンピュータシステムによって、前記解剖学的構造のオリフィスに対する関係において前記ネガモデルの外面にステムツールオブジェクトを配置し、それによって、最終ネガモデルを作製する、ステップと、
三次元プリンタを介して、前記最終ネガモデルを印刷して、ネガ鋳型を作製するステップと、
該ネガ鋳型を使用して前記解剖学的構造のレプリカを鋳造するステップとを含む、
方法。
【請求項２】
前記初期モデルを切削するステップは、
前記初期モデル内の前記解剖学的構造の特徴に基づいて前記解剖学的構造の中心を識別するステップと、
切削ツールオブジェクトを前記初期モデルと合体させるステップとを更に含み、
該合体させるステップは、
前記解剖学的構造の前記中心の所定の距離内に前記切削ツールオブジェクトの中心軸を配置するステップであって、前記切削ツールオブジェクトは、前記所定の外部形状と、所定の深さとを画定する、ステップと、
前記切削ツールオブジェクトを前記初期モデルと交差させるステップと、
前記切削ツールオブジェクトの外側に存在する前記解剖学的構造の部分を除去し、
次に、前記初期モデルが交差しない前記切削ツールオブジェクトの部分を除去し、前記ポジモデルを作製するステップとによる、
請求項１に記載の方法。
【請求項３】
前記解剖学的構造の特徴を識別するステップは、
前記初期モデル内で外部女性生殖器の陰唇を識別するステップと、
該陰唇との交差部を識別するステップと、
前記外部女性生殖器の会陰又は前記外部女性生殖器の陰核包皮のうちの少なくとも１つを識別するステップとを更に含む、
請求項２に記載の方法。
【請求項４】
前記中心を識別するステップは、前記陰唇の前記交差部に沿う場所に前記中心を割り当てるステップを更に含む、請求項３に記載の方法。
【請求項５】
前記合体させるステップの前に、前記初期モデルによって画定される容積を増大させるステップを更に含む、請求項２に記載の方法。
【請求項６】
前記ネガ鋳型を作製するステップは、
鋳型ツールオブジェクトの中心軸を前記ポジモデルの中心の所定の距離内に配置し、
前記鋳型ツールオブジェクトを前記ポジモデルと交差させ、
前記ポジモデルと交差する前記鋳型ツールオブジェクトの部分を除去し、それによって、前記ネガモデルを作製することによって、
前記鋳型ツールオブジェクトを前記ポジモデルと合体させるステップを含む、
請求項１に記載の方法。
【請求項７】
前記ステムツールオブジェクトを配置するステップは、
前記ステムツールオブジェクトのチャネル軸を前記ネガモデルの中心の所定の距離内に配置するステップと、
前記ステムツールオブジェクトの入口表面を前記ネガモデルと当接させるステップと、
次に、前記ステムツールオブジェクトを前記ネガモデル内に合体させるステップとを更に含む、
請求項１に記載の方法。
【請求項８】
前記ステムツールオブジェクトと前記ネガモデルとの交差部を滑らかにするステップを更に含む、請求項７に記載の方法。
【請求項９】
前記オブジェクトファイルを作成するステップは、前記オブジェクトファイルを．ＯＢＪ幾何学定義において作成するステップを更に含む、請求項１に記載の方法。
【請求項１０】
前記複数の画像を受け取るステップは、
前記コンピュータシステムによって、複数のフレームを含むビデオを受け取るステップと、
前記コンピュータシステムによって、前記ビデオから前記複数の画像を抽出するステップであって、前記複数の画像の各画像は、前記ビデオのフレームに対応する、ステップとを更に含む、
請求項１に記載の方法。
【請求項１１】
前記複数の画像を抽出するステップ、及び前記オブジェクトファイルを作成するステップは、前記複数のフレームを選択し、前記オブジェクトファイルを作成する、単一のプログラムに、前記ビデオを適用するステップを更に含む、請求項１０に記載の方法。
【請求項１２】
前記ネガモデルを作製する前に、前記ポジモデルの前記外面上の鋭い移行部を滑らかにするステップを更に含む、請求項１に記載の方法。
【請求項１３】
前記ネガモデルを作製する前に、前記ポジモデルの前記所定の外部形状に沿って特異な識別番号を付加するステップを更に含む、請求項１に記載の方法。
【請求項１４】
前記ネガモデルを作製する前に、前記ポジモデルに表面テクスチャを付加するステップを更に含み、該表面テクスチャは、前記解剖学的構造の前記ビデオ内に存在しない、請求項１に記載の方法。
【請求項１５】
前記最終ネガモデルを作成するステップは、前記最終ネガモデルを．ＦＴＬフォーマットにおいて作製するステップを更に含む、請求項１に記載の方法。
【請求項１６】
前記解剖学的構造は、口、外部生殖器、肛門を含む、群から選択される少なくとも１つである、請求項１に記載の方法。
【請求項１７】
前記複数の画像を受け取る前に、
第２のコンピュータシステムによって、前記被験者が成年であることを検証するステップと、
前記第２のコンピュータシステムによって、特異な識別番号を前記被験者に割り当てるステップとを更に含み、
前記複数の画像を受け取るステップは、前記特異な識別子の下で、前記第１のコンピュータシステムが、前記特異な識別子以外の前記被験者についての更なる情報を含まないことを受け入れるステップを更に含む、
請求項１に記載の方法。
【請求項１８】
解剖学的構造のネガモデルを作製するシステムであって、
プロセッサと、
該プロセッサに連結されるメモリとを含み、
該メモリは、プログラムを格納し、該プログラムは、前記プロセッサによって実行されるときに、前記プロセッサに、
前記解剖学的構造の複数の画像を受け取らせ、
前記解剖学的構造の外面の初期モデルを含むオブジェクトファイルを作成させ、
前記初期モデルを、前記解剖学的構造を取り囲む所定の外部形状に切削して、該所定の外部形状内に前記解剖学的構造のポジモデルを作製させ、
該ポジモデルから前記解剖学的構造のネガモデルを作製させ、
前記解剖学的構造のオリフィスに対する関係において前記ネガモデルの外面にステムツールオブジェクトを配置させることによって、最終ネガモデルを作製させ、
該最終ネガモデルを印刷させて、ネガ鋳型を作製させ、
前記複数の画像の各画像は、前記解剖学的構造に対する異なる視認角からのものである、
システム。
【請求項１９】
前記プロセッサが前記初期モデルを切削するときに、前記プログラムは、前記プロセッサに、
前記解剖学的構造の中心を識別させ、
切削ツールオブジェクトを前記初期モデルと合体させ、
該合体は、
前記切削ツールオブジェクトの中心軸を前記解剖学的構造の前記中心の所定の距離内に配置させ、
前記切削ツールオブジェクトを前記初期モデルと交差させ、且つ
前記切削ツールオブジェクトの外側に存在する前記解剖学的構造の部分を除去することによって、前記ポジモデルを作製することにより、
前記切削ツールオブジェクトは、前記所定の外部形状と、所定の深さとを画定する、
請求項１８に記載のシステム。
【請求項２０】
前記プロセッサが前記解剖学的構造の前記中心を識別するとき、前記プログラムは、前記プロセッサに、ユーザインタフェースデバイスから前記中心の表示を受け取らせる、請求項１９に記載のシステム。
【請求項２１】
前記プロセッサが前記解剖学的構造の前記中心を識別するとき、前記プログラムは、前記プロセッサに、
前記初期モデル内の前記解剖学的構造の特徴を識別させ、
該特徴に基づいて前記中心を識別させる、
請求項１９に記載のシステム。
【請求項２２】
前記プロセッサが前記解剖学的構造の前記特徴を識別するとき、前記プログラムは、前記プロセッサに、
外部女性生殖器の陰唇を識別させ、
該陰唇の交差部を識別させ、
前記外部女性生殖器の会陰又は前記外部女性生殖器の尿道口のうちの少なくとも１つを識別させる、
請求項２１に記載のシステム。
【請求項２３】
前記中心を識別することは、前記陰唇の前記交差部に沿う場所で前記中心を割り当てることを含む、請求項２２に記載のシステム。
【請求項２４】
前記プログラムは、更に、前記プロセッサに、前記ポジモデル内の前記初期モデル及び前記切削ツールオブジェクトの交差部を滑らかにさせる、請求項１９に記載のシステム。
【請求項２５】
前記プロセッサが前記ネガモデルを作製するとき、
前記プログラムは、前記プロセッサに、
鋳型ツールオブジェクトの中心軸を前記ポジモデルの中心の所定の距離内に配置させ、
前記鋳型ツールオブジェクトを前記ポジモデルと交差させ、且つ
前記ポジモデルと交差する前記鋳型ツールオブジェクトの部分を除去することによって、前記ネガモデルを作製させることによって、
前記鋳型ツールオブジェクトを前記ポジモデルと合体させる、
請求項１８に記載のシステム。
【請求項２６】
前記プロセッサが前記ステムツールオブジェクトを配置するとき、前記プログラムは、前記プロセッサに、
前記ステムツールオブジェクトのチャネル軸を前記ネガモデルの中心の所定の距離内に配置させ、
前記ステムツールオブジェクトの入口表面を前記ネガモデルと当接させ、
次に、前記ステムツールオブジェクトを前記ネガモデル内に合体させる、
請求項１８に記載のシステム。
【請求項２７】
前記プログラムは、更に、前記プロセッサに、前記ステムツールオブジェクト及び前記ネガモデルの交差部を滑らかにさせる、請求項２６に記載のシステム。
【請求項２８】
前記プロセッサが前記複数の画像を受け取るときに、前記プログラムは、前記プロセッサに、
複数のフレームを含むビデオを受け取らせ、
該ビデオから前記複数の画像を抽出させ、
前記複数の画像の各画像は、前記ビデオのフレームに対応する、
請求項１８に記載のシステム。
【請求項２９】
前記プロセッサが前記複数の画像を抽出し、前記オブジェクトファイルを作成するとき、前記プログラムは、前記プロセッサに、前記ビデオを単一のプログラムに適用させ、該単一のプログラムは、前記複数のフレームを選択し、前記オブジェクトファイルを作成する、請求項２８に記載のシステム。
【請求項３０】
前記プログラムは、更に、前記プロセッサに、前記ネガモデルの作製前に、前記初期モデルに存在しない表面テクスチャを前記ポジモデルに付加させる、請求項１８に記載のシステム。
【請求項３１】
前記解剖学的構造は、口、生殖器、肛門を含む、群から選択される少なくとも１つである、請求項１８に記載のシステム。
【発明の詳細な説明】
【技術分野】
【０００１】
（関連出願の参照）
該当なし。
【背景技術】
【０００２】
関連技術において解剖学的構造のレプリカ(replicas)を作製することは、時間のかかるプロセスである。コンピュータ技術が進歩する前、レプリカを作製することは、複製される(replicated)べき被験者(subject)の石膏模型(plaster  cast)を作って、ネガイメージ(ネガ像)を作製し、次に、ネガイメージを使って、例えば、人間の皮膚を模倣するエラストマーゲルにおいて、ポジイメージ(ポジ像)を鋳造する(cast)ことを含んだ。この技法は、顔のみならず、足、手、及び脚のような、あらゆる解剖学的構造に使用された。
【０００３】
コンピュータ技術が進歩するにつれて、顔のような既存の構造のデジタルイメージ(デジタル像)を作製する能力は有意に向上した。その上、三次元印刷技術の進歩は、理論的には、石膏のタンクを混合することを必要とせずに、複製されるべき被験者又は被験者の一部のポジイメージの印刷を可能にする。しかしながら、これらの進歩は、石膏の使用を排除し、議論の余地はあるが、プロセスを速めたが、様々な技術は、十分に統合されていない。関連技術において解剖学的構造のレプリカを作製することは、各解剖学的構造が特異である場合、解剖学的構造のレプリカの大量生産をサポートすることができない、依然として時間のかかるプロセスである。
【発明の概要】
【発明が解決しようとする課題】
【０００４】
よって、解剖学的構造のレプリカの作製におけるサイクル時間を短縮するあらゆる改良又は進歩は、市場における競争上の優位性を提供する。
【課題を解決するための手段】
【０００５】
ここで、例示的な実施形態の詳細な記述のために、添付の図面を参照する。
【図面の簡単な説明】
【０００６】
【図１】少なくとも幾つかの実施態様に従ったシステムを示している。
【０００７】
【図２】少なくとも幾つかの実施態様に従った方法を示している。
【０００８】
【図３】少なくとも幾つかの実施態様に従った解剖学的構造の初期モデルの斜視図を示している。
【０００９】
【図４】少なくとも幾つかの実施態様に従った製品の斜視図を示している。
【００１０】
【図５】少なくとも幾つかの実施態様に従った、押出後の初期モデルの斜視図を示している。
【００１１】
【図６Ａ】少なくとも幾つかの実施態様に従った３つのオブジェクトの側面図を示している。
【図６Ｂ】少なくとも幾つかの実施態様に従った３つのオブジェクトの側面図を示している。
【図６Ｃ】少なくとも幾つかの実施態様に従った３つのオブジェクトの側面図を示している。
【００１２】
【図７Ａ】少なくとも幾つかの実施態様に従った鋳型ツールオブジェクトの俯瞰図を示している。
【図７Ｂ】少なくとも幾つかの実施態様に従ったステムツールオブジェクトの俯瞰図を示している。
【００１３】
【図８】少なくとも幾つかの実施態様に従った、初期モデルと部分的に交差させられた切削ツールオブジェクトの斜視図を示している。
【００１４】
【図９】少なくとも幾つかの実施態様に従った、図８の線９−９に沿って取られた側断面図を示している。
【００１５】
【図１０】少なくとも幾つかの実施態様に従った例示的なポジモデルの斜視図を示している。
【００１６】
【図１１】少なくとも幾つかの実施態様に従ったポジモデルと交差させられた鋳型ツールオブジェクトの側断面図を示している。
【００１７】
【図１２】少なくとも幾つかの実施態様に従ったネガモデルの斜視図を示している。
【００１８】
【図１３】少なくとも幾つかの実施態様に従ったネガモデルと交差させられたステムツールオブジェクトの斜視図を示している。
【００１９】
【図１４】少なくとも幾つかの実施形態に従った鋳造システムの斜視図を示している。
【００２０】
【図１５】少なくとも幾つかの実施態様に従ったコンピュータシステムを示している。
【発明を実施するための形態】
【００２１】
様々な用語が、特定のシステム構成要素に言及するために使用される。異なる会社は、ある構成要素を異なる名前で言及する場合がある。本明細書は、名称は異なるが機能は異ならない構成要素を区別することを意図しない。以下の議論及び請求項において、「含む(including)」及び「含む(comprising)」という用語は、オープンエンド(開放端)式に用いられ、よって、「〜を含むが、〜に限定されない」を意味すると解釈されるべきである。また、「連結する(couple)」又は「連結する(couples)」という用語は、間接的な接続又は直接的な接続のいずれかを意味することを意図する。よって、第１のデバイスが第２のデバイスと連結するならば、その接続は、直接的な接続を通じて行われてよく、或いは他のデバイス及び接続部を介した間接的な接続を通じて行われてよい。
【００２２】
以下の議論は、本発明の様々な実施形態に向けられている。これらの実施形態の１以上(１つ又はそれよりも多く)が好ましいが、開示の実施形態は、請求項を含む本開示の範囲を限定するものとして解釈されてならず、或いは他の方法で使用されてならない。加えて、当業者は、以下の記述が広範な適用を有し、任意の実施形態の議論は、その実施形態の例示であることを意味するに過ぎず、請求項を含む本開示の範囲がその実施形態に限定されることを暗示することを意図しないことを理解するであろう。
【００２３】
例示的な実施形態は、解剖学的構造のレプリカ(replicas)を作製することに向けられている。より具体的には、例示的な実施形態は、それらのレプリカが三次元（３Ｄ）プリンタ上に印刷されたネガモデル内に鋳造される、解剖学的構造のレプリカを作製することに向けられている。より具体的には、例示的な実施形態は、解剖学的構造の一連の（ビデオのような）イメージから、要求に応じて、解剖学的構造のレプリカを作製する方法及び関連システムに向けられている。様々な実施形態は、男性マスターベーションデバイス用の解剖学的構造のレプリカ（例えば、外部女性生殖器のレプリカ）を作製することの文脈で開発され、よって、以下の記述は、開発的な文脈に基づく。しかしながら、開発的な文脈は、技術の範囲を限定するものと理解されてならない。この開示の利益を用いるならば、当業者は、映画における使用のための顔特徴(facial  features)、乳房切除術を受けた癌患者による使用のためのレプリカ乳房、及び同等物のような、任意の解剖学的構造のレプリカを作製することを含むように、範囲(reach)を拡張することができる。本明細書は、先ず、読者を馴染ませるために、例示的なシステムの記述に目を向ける。
【００２４】
図１は、少なくとも幾つかの実施態様に従ったシステムを示している。具体的には、例示的なシステムは、人(person)又は被験者(subject)１００を含み、被験者は、被験者の口、外部生殖器（例えば、外部女性生殖器）、又は肛門のような、被験者１００の解剖学的構造のレプリカを作製することを望む。レプリカを作製するために、被験者１００は、デスクトップコンピュータ、ラップトップコンピュータ、又はモバイルコンピューティングデバイス、又は携帯電話のような、コンピューティングデバイス１０４を介して、レプリカシステム１０２と対話する。例示的なシステムにおいて、被験者１００は、インターネット１０６を介して通信するが、コンピューティングデバイス１０４とレプリカシステム１０２との間に任意の数のローカルエリアネットワーク(構内ネットワーク)、ワイドエリアネットワーク(広域ネットワーク)、及び／又はプライベートネットワーク(私的ネットワーク)があってよい。
【００２５】
レプリカシステム１０２は、概念的には、顧客インタフェースコンピュータシステム１０８と、鋳型作製コンピュータシステム１１０と、３Ｄプリンタ１１２と、鋳造システム１１４とに分割される。例示的な鋳造システム１１４は、以下に更に議論するように、要求に応じて作製されるネガ鋳型１１６と、各レプリカに含められる構成（例えば、外側カバー内にレプリカを保持する構成）を含む外側鋳型アセンブリ１１８とを含む。幾つかの場合には、鋳造システム１１４の鋳造プロセスの結果は、解剖学的構造のレプリカをその遠位端に有するエラストマーインサートである。エラストマーインサートを硬質プラスチックのケーシングのような外側カバー内に配置して、男性マスターベーションデバイス１２０として例示的に示す最終製品を作製してよい。例示的な男性マスターベーションデバイス１２０は、Austin,  TexasのInteractive  Life  Forms,  LLCから入手可能なFLESHLIGHT（登録商標）ブランド製品に類似する外側カバーに示されているが、外側カバーは、状況に応じて、任意の好適な形態をとってよく、或いは省略されてよい。
【００２６】
依然として図１を参照すると、名前が暗示するように、顧客インタフェースコンピュータシステム１０８は、被験者１００のような顧客がレプリカシステム１０２と対話するときに対話するコンピュータシステムである。顧客インタフェースコンピュータシステム１０８は、デスクトップコンピュータシステム、ラップトップコンピュータシステム、タンデムに作動する一群のコンピュータシステム、ラック搭載型コンピュータシステム（例えば、サーバ）、同一場所に位置する或いは別個の場所にある複数のサーバ、物理的場所が負荷に応じて時々変化することがあるクラウドベースのコンピュータシステム、又はこれらのコンピュータシステムの任意のコンピュータシステムの組み合わせであってよい。複製される解剖学的構造は外性器及び／又は肛門を含むことがあるので、連邦法は、特定の明確な手順及び記録保存を要求することがある。例えば、１８Ｕ．Ｓ．Ｃ．§２５５７は、とりわけ、被験者の氏名、生年月日、旧姓、別名、及びニックネームを確認することのような、従わなければならない特定の行為を規定している。２８Ｃ．Ｆ．Ｒ．§７５．２（ｅ）のような他の規則は、セクション２５５７の下で収集された情報を他のデータから分離して保管することを規定している。これらは顧客インタフェースコンピュータシステム１０８が、特定の（そして、幾つかの場合には連邦法上要求される）一連の機能を果たすことを示す単なる例であり、それは、顧客インタフェースコンピュータシステム１０８が、鋳型作製コンピュータシステム１１０とは別個のコンピュータシステムとして示される理由の１つである。
【００２７】
より具体的には、次に、例示的な顧客インタフェースコンピュータシステム１０８は、例えば、コンピューティングデバイス１０４によってレプリカシステム１０２と対話することによって、被験者１００がレプリカシステム１０２内にアカウントを生成することを可能にする。ひとたびアカウントが生成されると、レプリカシステムが複製されるべき解剖学的構造の表現を受け入れる前に、被験者１００は、年齢及び身元の証明を提供することを要求される。１つの実施形態において、被験者１００は、被験者１００の運転免許証の表面の画像、被験者１００の運転免許証の背面の画像、運転免許証の正面が被験者の頭部の隣に保持された状態の被験者１００の頭部画像、及び／又は被験者１００の頭部画像のような、幾つかの画像を提出するように促される。次に、アカウントの作成中に被験者１００によって提供された情報を運転免許証と照合することができる。１つの例示的な実施形態において、運転免許証の正面（及び場合によっては背面）の画像は、名前、住所、及び生年月日のような情報を抽出して検証データを作成する文字認識ソフトウェアに付される。次に、顧客インタフェースコンピュータシステム１０８は、検証データを、アカウントの作成中に被験者１００によって提供されるデータと自動的に比較してよい。情報が一致しないならば、ログインにフラグを立ててよく、或いは人間の検閲者に回して解析を行ってよい。
【００２８】
同様に、顧客インタフェースコンピュータシステム１０８は、被験者１００が実際に運転免許証の画像中に描かれた人であることを検証してもよい。例えば、被験者１００の頭部画像を含む画像は、各々、被験者１００の運転免許証の正面の画像と共に、顔認識プログラムに提供されてよい。運転免許証の画像の顔と比較した頭部画像中の顔の大きさは異なることがあるが、画像が同じ被験者のものであれば、顔特徴の相対的場所、間隔、大きさは、２つの画像の間で同じあるはずである。より具体的には、例示的な顧客インタフェースコンピュータシステム１０８は、例えば、被験者１００の頭部画像を含む画像と、被験者１００の運転免許証上の画像との間で、顔特徴を比較し、２つの顔が同じ顔であるか否かを決定してよい。代替的に、被験者１００の運転免許証の隣にある被験者１００の頭部画像を含む単一の画像を顔認識プログラムに供給し、同じ決定を行ってよい。更に他の場合には、顔認識プログラムは、被験者１００の頭部画像、運転免許証の隣で撮られた頭部画像、及び運転免許証の画像を提供されてよく、顔認識プログラムは、（単一の画像内に複数の顔の顔特徴を含む）各画像内の顔特徴を選ぶ出すことに基づいて、全ての顔が同じ被験者からであるか否かの決定を行ってよい。顔認識プログラムが、顔が同じであることを確認するならば、被験者１００の年齢が検証されたとみなされる。顔認識プログラムが、顔が同じであることを検証できないか、或いは顔認識に関する信頼性指標が低いならば、その画像は、決定を行うために、人間の検閲者に提供されてよい。
【００２９】
ログインが生成されるときに又は被験者１００の年齢が検証された後に、顧客インタフェースコンピュータシステム１０８は、被験者１００に特異な識別番号又は特異な識別子を割り当てる。特異な識別子は、被験者１００の個人識別可能情報を含まないで作製された特定の鋳型を識別する手段として、鋳型作製コンピュータシステム１１０のような、レプリカシステム１０２の他の部分によって使用されてよい。
【００３０】
依然として図１を参照すると、ひとたび被験者１００の年齢が検証されると、顧客インタフェースシステムコンピュータシステム１０８は、被験者がアップロードを承認されたことの通知を、被験者１００に送信してよい。そのメッセージは、テキストメッセージ、電子メールメッセージ、又は自動化された或いは手作業の電話呼出しのような、任意の適切な形態を取ってよい。通知の形態に拘わらず、顧客インタフェースコンピュータシステム１０８は、被験者１００が複製することを望む解剖学的構造の表現を受け入れることが可能にされる。被験者１００が年齢検証に先立って解剖学的構造の表現をアップロードするあらゆる試みは拒否される。アップロードするために、システムの例において、被験者１００は、コンピューティングデバイス１０４を使用して顧客インタフェースコンピュータシステム１０８と対話して、複製されるべき解剖学的構造の表現をアップロードする。議論は、被験者１００が解剖学的構造の中間鋳型（例えば、ポジ鋳型）又はネガ鋳型を作製するソフトウェアツールへのアクセスを有さないという仮定に基づいて進められ、よって、アップロードされる解剖学的構造の表現は、ビデオ又は一連の静止画像(still  pictures)の形態にある。代替的な状況を以下に更に議論する。
【００３１】
具体的には、被験者１００は、解剖学的構造のビデオを撮ることがあり、或いは一連の静止画像を撮ることがある。解剖学的構造を準備せずにビデオ又は一連の静止画像を撮ることは可能であるが、事前に特定の準備ステップが取られるならば、より良い結果が得られることがある。例えば、解剖学的構造に拘わらず、全ての毛を取り除くこと（例えば、シェービングすること）は、プロセスの後のプログラムに基づいた段階(programmatic  steps)のための、より一貫した表面を提供する。被験者１００が最終製品に毛の表現（例えば、恥毛、口ひげ、及びヤギ）を含まれることを望む限りにおいて、（以下に更に議論する）プロセス中に、毛を模倣するテクスチャ(組織)を加えることができる。解剖学的構造が外部女性生殖器である例において、そのような複製は、配偶者への贈り物である可能性が高い。ビデオを取り込んだり或いは画像を撮ったりする前に、膨張及び潮紅を誘発する被験者１００の身体的覚醒が推奨される。関連して、膣口をより良く露出させるために陰唇を物理的に分離することが推奨される。次に、例えば、ベビーオイルの使用、又は、幾つかの場合には、ベビーパウダーの使用によって、皮膚のコントラストを高めることによって、様々な解剖学的構造（例えば、陰唇、陰核包皮）の視覚的コントラストが得られてよい。レプリカが口である場合、（リップスティックの色はレプリカにおいて再現されないことがあるが）、リップスティックの塗布は、コントラストの増大をもたらすことがある。解剖学的構造に関する準備ステップを越えて、使用されるカメラ（例えば、コンピューティングデバイス１０４上のカメラ）は、最高の解像度及び適切なフレームレート（例えば、毎秒６０フレーム）のために設定されてよい。解剖学的構造は、コンピューティングデバイス１０４又は外部照明のいずれかによって、十分に照らされなければならない。
【００３２】
解剖学的構造の複数の画像(pictures)は、解剖学的構造に対する明確な複数の視認角からでなければならない。例えば、外部女性生殖器の場合、ビデオは、脚を広く広げた状態で撮られてよく、コンピューティングデバイス１０４が第１の脚に当接した状態で開始する。ビデオは開始され、次に、コンピューティングデバイスは、滑らかに第２の脚に移動させられ、移動中に陰唇と膣口はフレーム内に維持される。口の場合、ビデオは、顔の第１の側面から開始して、顔の第２の側面へのコンピューティングデバイス１０４の滑らかな移動を伴い、移動中に口をフレームと共に維持する。解剖学的構造としての肛門に関して、ビデオは、陰唇と類似の様式で殿部に亘る横方向の動きで撮られてよい。他の場合には、ビデオよりもむしろ、被験者１００又は補助者は、一連の静止画像を撮ってよく、その場合、各画像についてのカメラの場所は、解剖学的構造の周りで部分的に円弧内に位置する（例えば、解剖学的構造は、円弧の焦点に位置する）。
【００３３】
解剖学的構造の表現の形態に拘わらず、例示的なシステムにおいて、被験者１００は、表現をレプリカシステム１０２にアップロードする。より具体的には、解剖学的構造の表現（例えば、ビデオ、一連の静止画像）は、顧客インタフェースコンピュータシステム１０８によって受信される。Android（登録商標）又はWINDOWS（登録商標）オペレーティングシステムを備えるスマートフォンであるコンピューティングデバイス１０４によって撮られたビデオの場合、ビデオは、ＭＰ４フォーマットを有してよい。ＩＯＳオペレーティングシステムを備えるiPhone（登録商標）ブランドデバイスであるコンピューティングデバイス１０４によって撮られたビデオの場合、ビデオは、QUICKTIME（登録商標）又は.MOVフォーマットにあってよい。後に開発されるビデオフォーマットを含む他のビデオフォーマットも可能である。表現が一連の静止画像であるならば、フォーマットは、JPEG  .jpg、.png、又はAdobe（登録商標）.pdfフォーマットのような、任意の適切な画像フォーマットであってよい。後に開発されるフォーマットを含む他の画像フォーマットも可能である。個人識別可能情報は削除され（例えば、ファイル名から削除され、メタデータから削除され）、表現は、被験者に以前に割り当てられた特異な識別子を用いて識別される（ファイル名など）。次に、顧客インタフェースコンピュータシステム１０８は、特異な識別子によって識別される解剖学的構造の表現を鋳型作製コンピュータシステム１１０に渡す。幾つかの実施態様において、顧客インタフェースコンピュータシステム１０８は、次に、個人識別可能情報が分離された状態に維持されるように、解剖学的構造の表現を廃棄する。別の言い方をすると、例示的なシステムにおいて、顧客インタフェースシステム１０８は、１つのシステムに対するデータセキュリティ違反の事態において、ハッカーが被験者１００の個人識別可能情報及び被験者の（複数の）解剖学的構造の画像又は他の表現の両方を取得することができないように、鋳型作製コンピュータシステム１１０（又はコンピュータシステムのセット）とは別個の異なるコンピュータシステムである。
【００３４】
ここで、議論は、鋳型作製コンピュータシステム１１０と、３Ｄプリンタ１１２と、鋳造システム１１４との組み合わせによって実行される、一連のステップに移る。図２は、少なくとも幾つかの実施態様に従った方法を示している。具体的には、図２は、例示的な実施形態に従った解剖学的構造のレプリカを作製する例示的なプロセスの高水準の概観として提示されている。図２は、議論のバランスをとるための組織ガイドの役割を果たしている。例示的な方法が開始し（ブロック２００）、第１のコンピュータシステムによって、被験者の解剖学的構造の複数の画像(pictures)を受け取るステップであって、複数の画像の各画像は、解剖学的構造に対する異なる視認角からである、ステップ（ブロック２０２）、第１のコンピュータシステムによって、解剖学的構造の外面の初期モデル(initial  model)を含むオブジェクトファイル(object  file)を作成するステップ（ブロック２０４）、第１のコンピュータシステムによって、初期モデルを、解剖学的構造を取り囲む(解剖学的構造に外接する)(circumscribing)所定の外形に切削するステップであって、切削することは、所定の外部形状内に解剖学的構造のポジモデル(positive  model)を作製する、ステップ（ブロック２０６）、第１のコンピュータシステムによって、ポジモデルから解剖学的構造のネガモデル(negative  model)を作製するステップ（ブロック２０８）、第１のコンピュータシステムによって、解剖学的構造のオリフィスに対する当接関係においてネガモデルの外面にステムツールオブジェクト(stem  tool  object)を配置し、それによって、最終ネガモデルを作製するステップ（ブロック２１０）、三次元プリンタによって、最終ネガモデル(final  negative  model)を印刷して、ネガ鋳型(negative  mold))を作製するステップ（ブロック２１２）、及びネガ鋳型を用いて解剖学的構造のレプリカ(replica)を鋳造するステップ（ブロック２１４）を含む。然る後、方法は終了するが（ブロック２１６）、プロセスは、他の被験者の解剖学的構造の新しいセットの画像で新たに始まる可能性が高い。各ステップは、順番に、より詳細に取り扱われる。
【００３５】
例示的な方法における第１のステップは、被験者１００の解剖学的構造の複数の画像を受け取ることであり、複数の画像の各画像は、解剖学的構造に対して異なる視認角からである（ブロック２００）。例示的なシステムにおいて、複数の画像を受け取ることは、顧客インタフェースコンピュータシステム１０８（図１）から鋳型作製コンピュータシステム１１０（同様に図１）による。しかしながら、他の場合において、鋳型作製コンピュータシステム１１０は、複数の画像を直接的に又は任意の適切な中間コンピュータシステムを通じて受け取ってよい。幾つかの例示的な場合において、鋳型作製コンピュータシステム１１０は、複数のフレームを含むビデオの形態で複数の画像を受信するか或いは受け取る。そのような状況において、鋳型作製コンピュータシステム１１０は、ビデオから複数の画像を抽出してよく、複数の画像の各画像は、ビデオのフレームに対応する。ビデオが受信される場合、鋳型作製コンピュータシステム１１０は、ビデオの最初の数秒（例えば、最初の３秒）からのフレームを廃棄し、ビデオの最後の数秒（例えば、最後の３秒）からのフレームを廃棄し、次に、残ったものからフレームを選択する（例えば、残りのフレームから４０〜５０フレームを選択する）ことによって、画像を抽出してよい。複数の画像を直接的に受信するか或いは受け取る場合、抽出は省略されてよい。
【００３６】
次に、例示的な方法は、解剖学的構造の外面の初期モデルを含むオブジェクトファイルを作成する（ブロック２０２）。すなわち、初期モデルは、任意の適切なファイルフォーマットにおける解剖学的構造の外面のデジタル表現である。例えば、初期モデルは、三次元空間内の一連の点であってよく、各点は、三角形の頂点を定め、一緒に見られる全ての三角形は、三次元オブジェクトの視覚的外観をもたらす。初期モデルのためのファイルフォーマットの例は、「.OBJ」ジオメトリ定義のファイル、ステレオリソグラフィ「.STL」定義のファイル、及び３次元表面を表す任意の現在利用可能な又は後に開発されるファイルフォーマットを含む。
【００３７】
少なくとも幾つかの実施形態によれば、複数の画像を抽出し、オブジェクトファイルを作成することは、複数の画像を、Verona,  Italyａの3Dflow（www.3dflow.net）によって作成された3DF  Zephyrのような、画像測量プログラムに供給することによって達成されることがある。後に開発される画像測量プログラムを含む他の画像測量プログラムが同様に使用されてよい。例示的な3DF  Zephyrは、様々なファイルフォーマットでビデオ及び／又は静止画像を受け取り、.OBJフォーマットで画像中のシーンのポイントクラウドモデル(点群モデル)を作成する。
【００３８】
図３は、少なくとも幾つかの実施態様に従った解剖学的構造の初期モデルの斜視図を示している。具体的には、図３の例示的な解剖学的構造は、外部女性生殖器の簡略化された図である。図３に見えるのは、会陰３００、陰唇３０２、陰唇３０４、及び陰核包皮３０６である。例示的な実施形態において、写真測量プログラムから作成されたポイントクラウドモデルは、初期モデル３０８である。初期モデル３０８は、図３の座標軸上にＸ−Ｙ−Ｚとして示される３次元の解剖学的構造の外面に関するデータを含み、図示のように、描写する。別の言い方をすれば、初期モデルは、解剖学的構造の外面の三次元外観上に情報を有するか或いは含む。しかしながら、使用される写真測量ソフトウェアに依存して、そして、場合によってはその設定に依存して、例示的な実施形態において、初期モデル３０８自体は、非常に僅かな厚さを有するか、或いは厚さを有さない。図３は、座標系のＺ軸に沿って測定された例示的な厚さＴ１を示している。厚さＴ１は、議論の目的のために、図３において誇張されているが、例示的な実施形態において、初期モデルの厚さＴ１は、あるとしても、ポイントクラウド内の点の厚さであるに過ぎない。
【００３９】
例示的な方法の次のステップは、初期モデル３０８を切削して、解剖学的構造のポジモデルを作製することである（図２のブロック２０６）。しかしながら、切削プロセスを詳細に記述する前に、例示的な最終製品の記述は、様々な実施形態を理解するのを助けるのみならず、変形を理解するのも助けるであろう。図４は、男性マスターベーションデバイス１２０の例示的な形態の最終製品の斜視図を示している。具体的には、男性マスターベーションデバイス１２０は、プラスチックのような剛性材料の外側カバー４０４の内部容積内に少なくとも部分的に配置されたエラストマースリーブ又はポリマスリーブ４０２を含む。図示の例において、外側カバー４０４は、FLESHLIGHT（登録商標）ブランド製品の形状にあるが、外側カバー４０４の任意の適切な形状が使用されてよい。図４の眺望において、ポリマスリーブ４０２の挿入端４０６は、可視的であり、被験者１００の解剖学的構造のレプリカ（図１）を含む。ポリマスリーブ４０２の残りの部分は、外側カバー４０４内に存在する。ポリマスリーブ４０２は、低デュロメーター定格の熱可塑性エラストマーゲル（ＴＰＥ）、又はシリコン、ポリ塩化ビニル（ＰＶＣ）、もしくはエラストマーゴムのような、他の材料で作られてよい。例示的な男性マスターベーションデバイス１２０は、使用しないときに、蓋４０８が挿入端４０６を覆って入れ子状にされ、外側カバー４０４に連結されるように、ポリマスリーブ４０２の挿入端４０６の外径Ｄ１よりも僅かに大きい内径Ｄ２を定める、カバー又は蓋４０８を更に含んでよい。蓋４０８は、例えば、使用しないときに、挿入端１０６を損傷から保護することがある。図示の例示的な実施態様において、外側ケース４０４の外部形状は、直径Ｄ１（例えば、３インチ）を有する円形であり、円形の形状は、解剖学的構造を取り囲む。男性マスターベーションデバイス１２０は、蓋４０８の反対側で外側カバー４０４に連結する第２のキャップ又は蓋４１０を更に含んでよい。蓋４１０は、使用中に制御可能な通気機構として作用してよい。
【００４０】
例示的な男性マスターベーションデバイス１２０の挿入端４０６は、主通路に至る主孔４１２を含む（主通路は図４では見えないが、以下で更に議論する）。図示のように、主孔４１２は、陰核包皮３０６と会陰３００との間で、例示的なの陰唇３０２と陰唇３０４との間に画定される。解剖学的構造が口である場合、主孔４１２は、口唇の間に存在する。解剖学的構造が肛門である場合、主孔は、肛門によって画定される。主通路は、ポリマスリーブ４０２及び外側カバー４０４の長手方向中心軸４１８と同軸である。
【００４１】
一時的に図２に戻る。例示的な方法の次のステップは、初期モデル３０８（図３）を、解剖学的構造を取り囲む所定の外部形状に切削することである（ブロック２０６）。更により具体的には、例示的な方法の次のステップは、初期モデルを、所定の外部形状を有するように切削するのみならず、幾つかの場合には、所定の深さも有するように切削することである。所定の深さは、ポリマスリーブ４０２（図４）が外側カバー４０４を越えて延びる距離に関連する。しかしながら、上述のように、初期モデル３０８は、僅かの厚さＴ１を有するか、或いは厚さを有さない。よって、切削前に、初期モデル３０８は、所定の深さよりも大きな厚さを有するように引き延ばされるか、或いは押し出される。
【００４２】
図５は、少なくとも幾つかの実施態様に従った、押出し後の初期モデルの斜視図を示している。具体的には、図５は、初期モデル３０８が、厚さＴ２を有する（従って、容積を画定する）ように押し出されることを示している。以下でより明確になる理由により、厚さＴ２は、ポリマスリーブが外側カバーの端を越えて延びる距離よりも大きい。幾つかの場合、押し出される厚さＴ２は、少なくとも１インチであり、幾つかの場合には、３インチ以上である。明確であるために、初期モデル３０８は、物理的なオブジェクトではなく、むしろ、（押出前及び押出後の両方の）初期モデル３０８は、任意の適切なファイルフォーマットにある電子ファイル内のデータである。初期モデル３０８に関するデータを含むファイルは、押出しを実行するためにデジタル彫刻ソフトウェアプログラムで開かれる。例示的な場合において、初期モデル３０８の押出しは、Pixologic  Inc.（pixologic.com）から入手可能なデジタル彫刻ソフトウェアプログラムである、ZBRUSH（登録商標）内で実行される。
【００４３】
押出後に初期モデル３０８を切削することは、必要でない初期モデル３０８の部分を電子的に除去し、次に、後の鋳造のための鋳型となるべきネガイメージを生成することを含む。この出願に記載する革新の前に、ZBRUSH（登録商標）ブランド製品のような彫刻ソフトウェアプログラムを使用する熟練した職人は、押出後に初期モデル３０８の一部を「手作業で」削り取って、ポジモデルを結び、次に、鋳型として使用されるべきネガイメージを作成するのに、１日以上を必要とした。１個のネガ鋳型当たり１日以上は、解剖学的構造のレプリカの大量生産には遅すぎ、高価であった。何故ならば、各レプリカは特異であり、よって、鋳造プロセスにおいて使用されるべきそれ自体のネガ鋳型を有するからである。以下に記載するツール、技法、及び方法を用いるならば、かつては完了するのに１日以上を要したものが、今では１時間未満、幾つかの場合には３０分未満で完了することができる。その上、自動化をプロセスの一部に適用して、時間を１５分以下に短縮し、幾つかの場合には１０分以下に短縮し、幾つかの場合には、人間相互作用(human  interaction)なしに短縮することができる。
【００４４】
例示的な実施形態によれば、所定の外部形状のみならず所定の深さも有するように押出後に初期モデル３０８を切削してポジモデルを作製することは、概念的には、２つの３Ｄ物体（そのうちの１つは初期モデル３０８である）の交差又は合体、次に、第２の３Ｄ容積と交差しない初期モデル３０８の部分の除去として記載されることができる。本願の発明者は、プロセスを高速化し、自動化を可能にする、幾つかの「ツール(tools)」を作り出した。よって、本明細書は、例えば、切削ツールオブジェクト(cutting  tool  object)、鋳型ツールオブジェクト(mold  tool  object)、及びステムツールオブジェクト(stem  tool  object)である、例示的な「ツール」に向かう。
【００４５】
図６Ａ、図６Ｂ、及び図６Ｃは、少なくとも幾つかの実施態様に従った３つの物体(objects)の側面図を示している。具体的には、図６Ｃは、切削ツールオブジェクト６００を示しており、図６Ｂは、鋳型ツールオブジェクト６０２を示しており、図６Ａは、ステムツールオブジェクト６０４を示している。オブジェクト６００、６０２、及び６０４は、物理的なオブジェクトではない。むしろ、オブジェクトは、それらの三次元文字を含む、オブジェクトを画定する（任意の適切なファイルフォーマットにある）１以上の電子ファイル内のデータである。切削ツールオブジェクト６００は、切削ツールオブジェクト６００を鋳型ツールオブジェクト６０２から区別するのを助けるタブ６０６を除いて、円形断面（図のページの平面に対して垂直な平面において切削された断面）を有する。切削ツールオブジェクトは、円形断面に対して垂直であり且つ円形断面内で中心化される、中心軸６０８と、幾つかの実施形態では３インチである直径Ｄ３とを画定する。以下に更に議論するように、切削ツールオブジェクト６００の円形断面は、解剖学的構造を取り囲む所定の外部形状であってよいが、他の形状が可能である。その上、切削ツールオブジェクト６００は、（平坦な表面６１０から円錐区画６１４の頂部６１２まで測定された）厚さＴ３を画定する。例示的な切削ツールオブジェクト６００は、切削ツールオブジェクト６００の外面を取り囲む環状チャネル６１６も画定する。環状チャネル６１６の目的は、後の議論においてより明確になる。
【００４６】
図６Ｂは、例示的な鋳型ツールオブジェクト６０２を更に示している。鋳型ツールオブジェクト６０２は、円形断面（ページの平面に対して垂直な平面において切削された断面）を有する。また、鋳型ツールオブジェクト６０２は、鋳型ツールオブジェクト６０２を切削ツールオブジェクト６００から区別するのを助けるのみならず、後述の鋳造において最終ネガ鋳型を整列させるのも助ける、円形ディスク又はノブ６１８を画定する。鋳型ツールオブジェクト６０２は、円形断面に対して垂直であり且つ円形断面内で中心化される中心軸６２０と、直径Ｄ２よりも大きい直径Ｄ４とを画定する。切削ツールオブジェクト６０２の直径Ｄ３が３インチであるならば、直径Ｄ４は、３インチに最終ネガ鋳型の壁厚の２倍を加えたものである。直径Ｄ３が変更されるならば、直径Ｄ４も変更される。以下に更に議論するように、鋳型ツールオブジェクト６０２の円形断面は、同様に、解剖学的構造を取り囲む所定の外部形状を画定する。その上、鋳型ツールオブジェクト６０２は、（平坦な表面６２２から円錐区画６２６の頂部６２４まで測定された）厚さＴ４を画定する。
【００４７】
図６Ａは、更に、例示的なステムツールオブジェクト６０４を更に示している。以下の議論に基づいてより明確になるように、ステムツールオブジェクト６０４は、ポリマスリーブへの主孔を画定するのを助ける。例示的なステムツールオブジェクト６０４は、中心軸６３６を有する反転された切頭体の形態のタブ６２８を画定する。タブ６２８は、移行部分６３０に連結される。移行部分６３０の精密な形態は、複製されるべき解剖学的構造に依存する。解剖学的構造が口であるならば、移行部分は、ほぼ口の幅である長い寸法Ｌ（例えば、２インチ）を画定する。複製されるべき解剖学的構造が外部女性生殖器であるならば、ステムツールオブジェクト６０４は、第１の翼６３２又は第２の翼６３４を省略してよい（各翼は、移行部分６３０を通じる破線によって画定される）。最後に、複製されるべき解剖学的構造が肛門であるならば、両方の翼６３２及び６３４が省略されてよい。幾つかの場合には、翼は使用前に電子的に除去されてよく、他の場合において、ツールは、各々の可能な解剖学的構造について１つずつ、３つのステムツールオブジェクトを含んでよい。
【００４８】
図７Ａ及び図７Ｂは、それぞれ、少なくとも幾つかの実施態様に従った、鋳型ツールオブジェクト及びステムツールオブジェクトの俯瞰図を示している。具体的には、図７Ａの眺望は、鋳型ツールオブジェクト６０２の上面６２２を示しており、よって、鋳型ツールオブジェクト６０２が円形断面を有することを示している。また、図７Ａに見えるのは、鋳型ツールオブジェクト６０２の中心軸６２０であるが、中心軸６２０は、図７Ａの眺望においてページに対して垂直であり、よって、中心軸６２０は、ドットとして示されている。例示的な実施形態において、鋳型ツールオブジェクト６０２は、上面６２２上に環状トラフ６３８も画定し、環状トラフ６３８は、上面６２２内に中心化され、中心軸６２０を外接して取り囲む。環状トラフ６３８は、直径Ｄ４よりも小さい直径Ｄ５を画定する。例示的な実施形態において、任意の場所での直径Ｄ４と直径Ｄ５との間の距離は、最終ネガ鋳型の壁厚を最終的に画定し、且つ制御する。切削ツールオブジェクト６００の上面６１０の眺望は、簡潔性のために省略されており、よって、鋳型ツールオブジェクト６０２の上面６２２の眺望と酷似しているが、環状トラフ６３８を有さない。
【００４９】
図７Ｂは、例示的なステムツールオブジェクト６０４の俯瞰図を示している。具体的には、図７Ｂの眺望は、中心軸６３６と共にタブ６２８を示しているが、中心軸６３６は、図７Ｂの眺望においてページに対して垂直であり、よって、中心軸６３６は、ドットとして示されている。例示的な移行部分６３０は、長さＬ、並びに幅Ｌの半分未満の、幾つかの場合には幅Ｌの４分の１未満の幅Ｗを含む、長円形断面を画定する。ステムツールオブジェクト６０４は、よって、口である解剖学的構造のためにあるが、湾曲した破線に沿って翼６３２及び／又は６３４の一方又は両方を除去することによって、ステムツールオブジェクト６０４は、他の解剖学的構造のために構成されてよい。
【００５０】
ここで、より正確には、ポジモデルを作成するために、所定の外部形状のみならず、幾つかの場合には所定の深さを有するよう、初期モデル３０８を切削することは、概念的には、先ず、押出後の初期モデル３０８を切削ツールオブジェクト６００と交差又は合体させ、次に、切削ツールオブジェクト６００と交差しない初期モデル３０８の部分を除去することとして記載されることができる。図５及び図６を同時に参照すると、例示的な実施形態において、解剖学的構造の中心又は中心軸は、初期モデル３０８内の解剖学的構造の特徴(構成)(features)に基づいて識別される。図４の眺望において、特徴を識別することは、外部女性生殖器の陰唇３０２及び陰唇３０４を識別すること、陰唇の交差部(intersection)を識別すること（例示的な交差部５００は破線５００として示されている）、会陰３００又は陰核包皮３０６のうちの少なくとも１つを識別することを含んでよい。識別された特徴の一部又は全部から、長手方向中心軸４１８が識別されてよく、中心は、（例えば、破線５００によって示される陰唇の交差部にあるような）初期モデル３０８の外面及び長手方向中心軸４１８の交差部である。複製されるべき解剖学的構造が口であるならば、特徴は、上唇、下唇、（「キューピッド弓(cupids  bow)」をもたらす）媚薬峰(philtra  ridge)、及びオトガイ唇溝(mentolabial  sulcus)を含んでよい。そのような特徴を識別することは、例えば、イメージ内の特徴（例えば、顔特徴）を見出すように設計されたソフトウェアによって又は人間の観察者によって、プログラム的に実行されてよい。
【００５１】
ひとたび中心及び／又は長手方向中心軸４１８が見出されると、例示的な方法は、押出後、切削ツールオブジェクト６００を初期モデル３０８と合体させることを含んでよい。より正確には、例示的な実施形態において、合体させることは、切削ツールオブジェクト６００の中心軸６０８を解剖学的構造の中心から所定の距離内に配置することを含む。幾つかの場合において、中心軸６０８は、長手方向中心軸４１８に平行に、長手方向中心軸４１８の所定の距離内に配置される。更に他の場合には、中心軸６０８は、長手方向中心軸４１８と同軸に配置される。次に、切削ツールオブジェクト６００は、初期モデル３０８と交差させられる。例えば、中心軸６０８が長手方向中心軸４１８と同軸である状況において、切削ツールオブジェクト６００は、２つが３Ｄ空間で交差し、円錐区画６１４が解剖学的構造の外面の外側又は「上方」に存在するように、初期モデル３０８内に押し「込まれる」(push  “into”)。２つのステップとして記述されているが、配置すること及び交差させることは同時に行われてよてい。
【００５２】
図８は、少なくとも幾つかの実施態様に従った、初期モデルと部分的に交差させられた切削ツールオブジェクトの斜視図を示している。具体的には、図８の例において、切削ツールオブジェクト６００の中心軸６０８は、（図８では見えない）解剖学的構造の中心を通過する長手方向中心軸４１８と同軸である。図示のように、切削ツールオブジェクト６００の容積の一部は、初期モデル３０８によって画定される容積の一部と重なり合うか或いは交差する。
【００５３】
図９は、少なくとも幾つかの実施態様に従った、図８の線９−９に沿って撮られた断面図を示している。具体的には、図９において見えているのは、外部女性生殖器の形態の例示的な解剖学的構造の側面図を含む、初期モデル３０８である。図９において同様に見えているのは、破線で示されているが、切削ツールオブジェクト６００である。よって、切削ツールオブジェクト６００は、解剖学的構造が所定の外部形状内でほぼ中心化されるように、初期モデル３０８と交差させられる。その上、初期モデル３０８と切削ツールオブジェクト６００との交差は、解剖学的構造の最遠位部分９００が切削ツールオブジェクト６００の外面９０２からの所定のオフセットＯ内に存在する（例えば、所定のオフセットが１センチメートル以下である）ときに、停止してよい。
【００５４】
初期モデル３０８と切削ツールオブジェクト６００との関係がひとたび決定されると、モデルとオブジェクトとの例示的な合体は、切削ツールオブジェクト５００の外側に存在する初期モデル３０８の部分を除去することに進む。図９において、除去される部分は、単線網状陰影によって示されている。然る後、初期モデル３０８と交差しない切削ツールオブジェクト６００の部分は除去される。図９において、除去される部分は、二重線網状陰影によって示されている。よって、除去するステップは、ポジモデルを作り出す。少なくとも幾つかの例示的なシステムにおいて、初期モデル３０８と切削ツールオブジェクト６０８との交差は、ZBRUSH（登録商標）ブランド彫刻ソフトウェアプログラムにおいて実行される。非交差部分を除去する特定の場合において、その操作は、ブール除去(Boolean  remove)と呼ばれるが、他の彫刻ソフトウェアプログラムは異なる用語を使うことがある。
【００５５】
図１０は、少なくとも幾つかの実施態様に従った、例示的なポジモデルの斜視図を示している。具体的には、上記で議論したように、切削ツールオブジェクト６０８で初期モデル３０８を切削することによって、残存するものは、所定の外部形状によって取り囲まれた解剖学的構造を示すポジモデル１０００である。ポジモデル１０００は、ポリマスリーブ４０２（図４）の外面上に複製された男性マスターベーションデバイス１２０（同様に図４）の一部の形態を表す。ポジモデル１０００は切削ツールオブジェクト６００から作製されるので、ポジモデル１０００は、（幾つかの場合には長手方向中心軸４１８と同軸である）中心軸６０８に沿って続行するか(carries)或いは中心軸６０８を引き継ぐ(inherits)。更に、ポジモデル１０００は切削ツールオブジェクト６００から作製されたので、ポジモデル１０００は、環状チャネル６１６に沿って続行するか或いは継承する。幾つかの例示的な実施形態において、本方法は、直ちに、レプリカの解剖学的構造を有するポリマスリーブ４０２を鋳造するために使用される（以下に更に議論する）ネガ鋳型を作製することに進んでよい。しかしながら、他の例示的な実施形態において、ポジモデル１０００は、最終製品をより実物そっくりにするために並びに／或いは特定の付加的特徴を実現するために操作されてよい。
【００５６】
図１０を更に参照すると、ポジモデル１０００は、初期モデルを切削ツールオブジェクトと合体させ、次に、初期モデル３０８と交差しない切削ツールオブジェクトの部分を除去することによって、作製された。よって、ポジモデル１０００の外面の一部は、初期モデルから持ち越されたテクスチャ特徴(texture  features)を有し、外面の一部は、テクスチャを有さないで滑らかである。初期モデル３０８からのテクスチャ特徴を有する部分と滑らかな表面との間の境界は、線１００２及び１００４によって図１０に示されている。例えば、線１００２の左側にあるポジモデルの外面のその部分は、テクスチャ特徴を有さないことがある一方で、（陰唇３０４により近い）ポジモデル１０００の外面のその部分は、初期モデルから持ち越された表面テクスチャを有する可能性が高い。少なくとも幾つかの実施態様によれば、ポジモデル１０００の外面は、ポジモデルの鋭い移行部（例えば、線１００２）で滑らかにされる。より具体的には、例示的な場合において、所定の幅（例えば、１センチメートル）を有し且つ鋭い移行部に沿って中心化されるゾーンは、ゾーンに亘る表面テクスチャを平均化することによって滑らかにされてよい。
【００５７】
更に、被験者１００（図１）の皮膚テクスチャの微細な詳細は、ビデオ及び／又は静止画像では見えないことがある。そのような皮膚テクスチャが見えるとしても、初期モデルを作製するプロセスにおいて、皮膚テクスチャの詳細の一部又は全部が失われることがある。よって、幾つかの例示的実施形態において、解剖学的構造の特定の特徴は、表面テクスチャを含むか或いは強化するように修正されてよい。例えば、陰核包皮３０６、陰唇３０２、及び陰唇３０４は、皮膚テクスチャにより密接に適合するように表面テクスチャを含むか或いは強化するように修正されてよい。関連して、解剖学的構造のビデオ及び／又は静止画像を取り込む前に除去された毛の存在を模倣するテクスチャのような特徴を追加されてよい。被験者１００が解剖学的構造を十分に準備しなかったならば、その交差部をより良く画定するために陰唇を「開く」ことのような物理的な修正が行われてよい。ポジモデル１０００は、例えば、ポジモデル１０００の所定の外部形状に沿って被験者１００の特異な識別番号を含むように修正されてもよい。被験者１００が職業的な芸能人である場合、ポジモデルは、被験者のステージ名、署名、商標、又は他の識別表示のような、ブランド情報を含むように修正されてもよい。ポジモデル１０００が上記で議論されたように修正されるか否かに拘わらず、例示的な方法における次のステップは、ポジモデル１０００から解剖学的構造のネガモデルを作製することである。
【００５８】
ネガモデルを作製することは、概念的には、ポジモデル１０００を鋳型ツールオブジェクト６０２と交差し或いは合体させ、次に、ポジモデルと交差する鋳型ツールオブジェクト６０２の部分を除去することとして記載されることができる。図６及び図１０を同時に参照すると、例示的な実施形態において、ネガモデルを作製することは、鋳型ツールオブジェクト６０２をポジモデル１０００と合体させることを含む。例示的な実施形態において、合体させることは、鋳型ツールオブジェクト６０２の中心軸６２０をポジモデル１０００の中心の所定の距離内に配置することによってよい。鋳型ツールオブジェクト６０２内のポジモデル１０００の中心化は、鋳型ツールオブジェクト６０２の平坦表面６２２上の環状トラフ６３８（図７Ａ）に対するポジモデル１０００の関係を見ることによって確認及び矯正されてよい。幾つかの場合において、中心軸６２０は、中心軸６０８に平行に、中心軸６０８の所定の距離内に配置される。更に他の場合には、中心軸６２０は、中心軸６０８と同軸に配置され、その場合、ポジモデル１０００は、自動的に中心化。次に、鋳型ツールオブジェクト６０２は、ポジモデル１０００と交差させられる。例えば、中心軸６２０がポジモデル１０００の中心軸６０８と同軸である場合、鋳型ツールオブジェクト６０２は、２つが３Ｄ空間内で交差し、円錐区画６２６がポジモデル１０００内の解剖学的構造の外面の外側又は「上方」に存在するように、ポジモデル１０００内に押し「込まれる」。２つのステップとして記述されているが、配置すること及び交差させることは同時に行われてよい。
【００５９】
図１１は、少なくとも幾つかの実施態様に従った、ポジモデル１０００と交差させられた鋳型ツールオブジェクト６０２の側断面図を示している。具体的には、図１１の例において、鋳型ツールオブジェクト６０２の中心軸６２０は、ポジモデル１０００の中心軸６０８と同軸である。中心軸６２０及び中心軸６０８を有することは厳密には要求されないが、それらを同軸にすることは、合体のプロセスを速めるのみならず、操作を自動化することも可能にすることに留意のこと。例示的な実施形態において、鋳型ツールオブジェクト６０２は、鋳型ツールオブジェクトの平坦な表面６２２が環状チャネル６１６と接触するまで共有軸に沿って並進させることによって、ポジモデル１０００と交差させられる。よって、切削ツールオブジェクトの環状チャネル６１６は、ポジモデル１０００によって引き継がれ、中心軸６０８／６２０に沿う深さ整列のためのガイドとなる。鋳型ツールオブジェクト６０２及びポジモデル１０００がひとたび適切に整列させられると、例示的な方法は、ポジモデル１０００と交差する鋳型ツールオブジェクト６０２の部分を除去し、次に、ポジモデル１０００を除去することを含む。残存する例示的な部分は、網状陰影によって図１１に示されている。残存するのは、ネガモデルである。
【００６０】
図１２は、少なくとも幾つかの実施態様に従ったネガモデルの斜視図を示している。具体的には、上述のように、ポジモデル１０００と交差する鋳型ツールオブジェクト６０２の部分を除去することによって、残存するものは、所定の外部形状によって取り囲まれた解剖学的構造のネガバージョンを示す、ネガモデル１２００である。ネガモデル１２００は、ポリマスリーブ４０２（図４）の外面上に複製された男性マスターベーションデバイス１２０（同様に図４）の一部の形態のネガを表す。ネガモデル１２００は、鋳型ツールオブジェクト６００から作製されたので、ネガモデル１２００は、鋳型ツールオブジェクトから中心軸６２０に沿って続行するか、或いは中心軸６２０を引き継ぐ。ネガモデル１２００は、例示的な場合には直径Ｄ４と直径Ｄ５との間の距離である（図７Ａ）、壁厚Ｔ５を画定する。解剖学的構造のレプリカがデバイスを通じる主通路に至る孔を有することを意図しない状況において、例示的な方法は、ネガモデルを印刷してネガ鋳型を作製することに直接的に進んでよい。しかしながら、最終製品が男性マスターベーションデバイスである実施形態において、ネガモデル１２００は、鋳造プロセス中に主孔４１２（図４）及び主通路の作製をサポートするように更に修正される。
【００６１】
主孔及び主通路の作製をサポートするためにネガモデルを修正することは、ステムツールオブジェクト６０４を解剖学的構造のネガモデルの外表面上に配置することを含む（ブロック２１０、図２）。図６及び図１２を同時に参照すると、例示的な実施形態において、最終ネガモデルを作製することは、ステムツールオブジェクト６０４をネガモデル１２００と合体させることを含む。例示的な実施形態において、合体させることは、ステムツールオブジェクト６０４の中心軸６３６をネガモデル１２００の中心の所定の距離内に配置することによってよい。幾つかの場合において、中心軸６３６は、中心軸６２０に平行に、中心軸６２０の所定の距離内に配置される。更に他の場合には、中心軸６３６は、中心軸６２０と同軸に配置され、その場合、ステムツールオブジェクト６０４は、ネガモデル１２００内で自動的に中心化される。次に、ステムツールオブジェクト６０４は、ネガモデル１２００に対して当接させられる。例えば、中心軸６３６がネガモデル１２００の中心軸６２０と同軸である状況において、ステムツールオブジェクト６０４は、２つが３Ｄ空間内で少なくとも当接し、場合によっては交差するように、ネガモデル１２００内に押し「込まれる」。２つのステップとして記載されているが、配置すること及び当接させることは同時に行われてよい。
【００６２】
図１３は、少なくとも幾つかの実施態様による、ネガモデル１２００と交差させられたステムツールオブジェクト６０４の斜視図を示している。具体的には、図１３の例において、ステムツールオブジェクト６０４の中心軸６２０は、ネガモデル１２００の中心軸６２０と同軸である。中心軸６３６及び中心軸６２０を有することは厳密には要求されないが、それらを同軸にすることは、合体のプロセスを速めるのみならず、操作を自動化するのを可能にすることに留意のこと。例示的な実施形態において、ステムツールオブジェクト６０４は、ステムツールオブジェクト６０４の底がネガモデルに当接するまで共有軸に沿って並進することによって、ネガモデル１２００と交差させられる。解剖学的構造が外部女性生殖器である例において、ステムツールオブジェクト６０４は、陰唇の交差部に整列させられた長さＬを有する。ステムツールオブジェクト６０４及びネガモデル１２００がひとたび適切に整列及び当接させられると、例示的な方法は、ステムツールオブジェクト６０４及びネガモデル１２００を合体することが最終ネガモデル１３００を作製することを含む。
【００６３】
依然として図１３を参照すると、最終ネガモデル１３００は、ステムツールオブジェクト６０４とネガモデル１２００とを合体させることによって作製された。しかしながら、ステムツールオブジェクト６０４とネガモデル１２００とを合体させることは、ネガモデル１２００からの表面テクスチャとは異なるステムツールオブジェクト６０４からの表面テクスチャを有する境界を作り出すことがある。例示的な境界が線１３０２によって示されている。例えば、線１３０２より下の最終ネガモデル１３００のその部分は、ポジモデルから（ネガ表現において）持ち越されたテクスチャ特徴を有することがある一方で、線１３０２より上のその部分は、ステムツールオブジェクト６０４の表面テクスチャを有する。少なくとも幾つかの実施態様によれば、最終ネガモデル１３００の外面は、最終ネガモデル１３００の鋭い移行部（例えば、線１３０２）で滑らかにされる。より具体的には、例示的な場合には、所定の幅を有し且つ鋭い移行部に沿って中心化されるゾーンは、ゾーンに亘る表面テクスチャを平均化することによって滑らかにされてよい。
【００６４】
図１２及び図１３の例示的な実施形態は、外部女性生殖器である解剖学的構造に関するものであり、よって、ステムツールオブジェクト６０４は、単一の翼のみを含む（或いは特定のステムツールオブジェクトが使用される）。しかしながら、解剖学的構造が口であるならば、ステムツールオブジェクト６０４は、両方の翼を有する。解剖学的構造が肛門であるならば、両方の翼は、ステムツールオブジェクト６０４から省略される（そして、特定のステムツールオブジェクトが使用される）。
【００６５】
例示的な方法における次のステップは、最終ネガモデル１３００を印刷して、鋳造プロセスにおいて使用されるネガ鋳型を作製することである。少なくとも幾つかの例示的な実施態様において、最終ネガモデル１３００は、.STLフォーマットにある電子ファイルのような、電子ファイルに含められるデータである。データファイルは、溶着モデリング（ＦＤＭ）、ステレオリソグラフィ（ＳＬＡ）、デジタル光処理（ＤＬＰ）、選択的レーザ焼結（ＳＬＳ）、選択的レーザ溶融（ＳＬＭ）、積層オブジェクト製造（ＬＯＭ）、デジタルビーム溶融（ＥＢＭ）のような、任意の適切な３Ｄプリンタ又は３Ｄプリンタ技術に提供されてよい。例えば、３Ｄプリンタは、Formlabs,  Inc.（http://3dsystems.com）から入手可能なFormlabs  ３Ｄプリンタであってよい。更に他の例示的な実施形態において、最終ネガモデル１３００は、3D  Systems  Inc.（https://3dsystems.com）から入手可能な3D  Systemsプリンタ（例えば、3D  Systemsモデル図４）上で印刷されてよい。すなわち、３Ｄプリンタ１１２（図１）を介して、最終ネガモデル１３００は、本明細書ではネガ鋳型と呼ばれる、物理的なものになる。よって、図１３は、最終ネガモデル１３００を示すのみならず、ネガモデルから印刷されるネガ鋳型の例も示す。
【００６６】
図１に戻る。よって、３Ｄプリンタ１１２は、鋳造プロセスに使用されるべきネガ鋳型１１６を印刷する。例示的なシステムにおいて、３Ｄプリンタ１１２は、レーザ光の焦点によって硬化される液体樹脂を使用するが、任意の適切な３Ｄ印刷技術が使用されてよい。３Ｄプリンタ１１２がひとたび印刷を完了すると、ネガ鋳型１１６がプリンタから除去され、作製されたあらゆる支持構造が除去される。残留樹脂を除去するために、ネガ鋳型１１６は、アルコール洗浄にさらされてよい。鋳造プロセスと関連付けられるパラメータ（例えば、液体ポリマの温度）に依存して、ネガ鋳型１１６は、例えば、炉内でネガ鋳型１１６を焼成することによって、硬化される必要があることがある。鋳造プロセス及び／又は樹脂の特性に依存して、硬化ステップは省略されてよい。本明細書は、次に、例示的な鋳造プロセスに向かう。
【００６７】
図１４は、少なくとも幾つかの実施態様に従った、鋳造システム１１４の斜視図を示している。具体的には、図１４は、第１の鋳型部材１４０４と、第２の鋳型部材１４０６とを含む、例示的な外側鋳型アセンブリ１１８を示している。各鋳型部材１４０４及び１４０６は内面を画定するが、図１４の眺望では、鋳型部材１４０６の内面１４０８のみが見える。鋳型部材１４０６の内面１４０８は、ポリマスリーブ４０２（図４）の外面の一部の、特に、外側カバー４０４（図４）内に存在するポリマスリーブ４０２の一部のネガイメージの半分を形成する。同様に、鋳型部材１４０４の内面は、ポリマスリーブ４０２のネガイメージの他の半分を形成する。
【００６８】
鋳造システム１１４は、外側鋳型アセンブリ１１８によって画定される内面に対して動作的な関係に配置されたネガ鋳型１１６を更に含む。上記で詳細に議論したように、ネガ鋳型１１６は、ポリマスリーブ４０２（図４）の挿入端４０６（図４）の外側部分のネガイメージを構造的に画定する。別の言い方をすると、ネガ鋳型１１６は、解剖学的構造のネガイメージを画定し、ポリマスリーブ４０２の挿入端４０６を鋳造するために使用される。幾つかの例示的なシステムにおいて、第１の鋳型部材１４０４及び第２の鋳型部材１４０６は、アルミニウムのような、金属材料から研削されてよい。更に、例示的な実施形態において、ネガ鋳型１１６は、要求に応じて、例えば、上記で議論した３Ｄ印刷技術によって作製される。ネガ鋳型１１６は、ロッド部材１４１４に連結する。ロッド部材１４１４の外面は、ポリマスリーブ４０２を通じる主通路の内面のネガイメージを画定する。
【００６９】
鋳造又は成形プロセスは、外側鋳型アセンブリ１１８に対する動作的な関係にネガ鋳型１１６を配置し、ネガ鋳型をステムツールオブジェクトと合体させることによって作製されたネガ鋳型１１６の（図１４では見えない）タブ６２８にロッド部材１４１４を連結することを含んでよい。外側鋳型アセンブリ１１８は、様々な構成要素の周囲で閉じられ、何らかの方法で所定の場所に保持される。液体形態のポリマ材料は、注入孔１４１８を通じた注入のように、内面１４０８によって画定される容積内に注入ポートを通じて注入される。液体形態のポリマ材料は、ネガ鋳型１１６及び内面１４０８によって画定される容積を満たし、空気を移し(displacing)、次に、ポリマ材料が硬化されるのを可能にする。ひとたび硬化されると、外側鋳型アセンブリ１１８は、再び開かれ、ロッド部材１４１４は、主通路から引き出され、ポリマスリーブ４０２は、ネガ鋳型１１６から除去されてよい。注入孔の内側で硬化されたポリマ材料及び外側鋳型アセンブリの界面によって形成されたあらゆる鋳型シーム(継ぎ目)又はマーク(印)を除去するために、ポリマスリーブ４０２のトリミングが実行されてよい。幾つかの場合において、作製されたポリマスリーブ４０２は、（例えば、滑石粉の塗布によって）表面張力を低下させるために化合物で処理されてよい。然る後、ポリマスリーブ４０２は、外側カバー４０４内に配置され、被験者１００に発送されてよい。
【００７０】
この点について議論した様々な実施形態は、被験者１００が配偶者のために男性マスターベーションデバイス１２０の作製を依頼すると仮定している。従って、男性マスターベーションデバイス１２０において具現される解剖学的構造のレプリカは、ビデオ及び／又は静止画像から作製され一回限りの装置である可能性が高い。しかしながら、被験者１００は、解剖学的構造のレプリカを公衆に販売する目的でデータをアップロードする職業的なモデルであってよい。そのような職業的な被験者１００は、レプリカ作製プロセスをより良く制御するインセンティブを有することがある。例えば、被験者１００は、上記で議論したステップのうちの特定のものを迂回して、適切なポイントクラウドフォーマットにおいて直接的に男性マスターベーションデバイスの作製のための情報を提供することがある。同様に、職業的な被験者１０００は、全ての所望の表面テクスチャ、署名、商標、及び同等物を有する、初期モデルを直接的に提供することがある。そのような場合、例示的なプロセスは、ポジモデル１０００の作製及び後続のステップに直接的に進んでよい。よって、被験者１００の素養並びにネガモデル及び鋳造のオンデマンド作製の目標に依存して、上記で議論したステップの特定のものが省略されてよい。
【００７１】
この点について議論した様々な実施形態は、解剖学的構造のレプリカが主通路を有し、よって、男性マスターベーションデバイスであると仮定した。しかしながら、身体的に興奮した状態又は弛緩した状態のいずれかにおける、外部男性生殖器（例えば、陰茎や睾丸）のレプリカを作製することも可能である。そのような状況では、主通路は、関連する考慮事項（例えば、ステムツールの使用）と共に省略される。その上、主通路のない外部男性生殖器を鋳造するときには、幾つかの場合において、ポリマ材料又はエラストマー材料が（例えば、シリコンゲルを作り出す２成分混合物から）室温で鋳造されてよい。室温鋳造の故に、単回使用鋳型アセンブリは、温度弾性である必要はない。これらの考慮事項を全てひとまとめにして考えると、写真測量ソフトウェアによって作製される初期モデルは、３Ｄプリンタに直接的に渡されてよい。ソフトウェア彫刻プログラムが使用される限りにおいて、そのようなものは、クリーンアップ、識別表示の追加であり、専門家の場合には、署名、商標、及び同等物である。（直接的にはポジモデルである）初期モデルは、３Ｄプリンタに直接的に渡されてよく、３Ｄプリンタは、幾つかの場合には、初期モデルからネガ鋳型を自動的に作製し且つ印刷することができる「シェルツール(shell  tool)」を有する。そのようなシェルツールは、独立型(スタンドアローン)３Ｄ構造でなく、主通路を含む、解剖学的構造のレプリカには適用可能でない。
【００７２】
例示的なレプリカシステム１０２は、２以上(２つ又はそれよりも多く)のコンピュータシステムを含む。図１５は、少なくとも幾つかの実施態様に従ったコンピュータシステムを示している。コンピュータシステム１５００は、顧客インタフェースコンピュータシステム１０８、及び／又は鋳型作製コンピュータシステム１１０の一例である。例示的なコンピュータシステム１５００は、メモリ１５０４に連結されたプロセッサ１５０２と、記憶システム又は長期記憶デバイス１５０６とを含む。プロセッサ１５０２は、任意の現在入手可能な若しくは後に開発されるプロセッサ、又は一群のプロセッサであってよい。メモリ１５０４は、プロセッサ１５０２のための作業メモリを形成するランダムアクセス記憶装置（ＲＡＭ）であってよい。幾つかの場合において、データ及びプログラムは、コンピュータシステム１５００の動作の一部として、記憶デバイス１５０６からメモリ１５０４にコピーされてよい。
【００７３】
長期記憶デバイス１５０６は、非一時的コンピュータ可読媒体とも呼ばれる不揮発性長期記憶装置を実装するデバイス又は複数のデバイスである。幾つかの場合において、長期記憶デバイスは、ハードドライブ又はソリッドステートドライブであるが、他の例は、光ディスク１５０８、「フロッピー（登録商標）」ディスク１５１０、及びフラッシュメモリデバイス１５１２を含む。よって、論議したプログラム的な側面を実装するために使用される様々なプログラムは、長期記憶装置１５０６に格納され、プロセッサ１５０２によって実行されることがある。関連して、様々な実施形態の様々なオブジェクト及びモデルの作製及び相互作用は、プロセッサ１５０２によって実施され、テレメトリチャネル１５１４を介して（例示的な光ディスク１５０８、フロッピーディスク１５１０、フラッシュメモリデバイス１５１２、又は磁気テープを含む）記憶装置１５０６に通信されてよい。換言すれば、記憶装置１５０６は、プロセッサによって実行されるときに、上記で議論したプログラム的なステップのいずれかを実行する命令を記憶してよい。
【００７４】
上記の議論は、本発明の原理及び様々な実施形態を例示することが意図されている。ひとたび上記開示が完全に理解されるならば、数多くの変形及び修正が当業者に明らかになるであろう。以下の特許請求の範囲は、そのような変形及び修正の全てを包含するように解釈されるべきことが意図されている。
【図１】
2020142511.tif 000003
【図２】
2020142511.tif 000004
【図３】
2020142511.tif 000005
【図４】
2020142511.tif 000006
【図５】
2020142511.tif 000007
【図６Ａ】
2020142511.tif 000008
【図６Ｂ】
2020142511.tif 000009
【図６Ｃ】
2020142511.tif 000010
【図７Ａ】
2020142511.tif 000011
【図７Ｂ】
2020142511.tif 000012
【図８】
2020142511.tif 000013
【図９】
2020142511.tif 000014
【図１０】
2020142511.tif 000015
【図１１】
2020142511.tif 000016
【図１２】
2020142511.tif 000017
【図１３】
2020142511.tif 000018
【図１４】
2020142511.tif 000019
【図１５】
2020142511.tif 000020
【外国語明細書】
2020142511000001.pdf